(57)【要約】【課題】ドロワーを有するエンクロージャーにおいて、搭載機器の伝送速度の高速化と信頼性向上とを両立させる。【解決手段】コントローラを介して情報処理装置との間でデータの入出力を行う信号伝送インターフェースを有する機器が搭載されるドロワーと、ドロワーの展開状態及び収納状態を検知するドロワーセンサーと、展開状態ならば機器の信号伝送速度を低下させる制御手段とを備える。【選択図】      図１
2017126262.tif 000002
【特許請求の範囲】
【請求項１】
コントローラを介して情報処理装置との間でデータの入出力を行う信号伝送インターフェースを有する機器が搭載されるドロワーと、
前記ドロワーの展開状態及び収納状態を検知するドロワーセンサーと、
前記展開状態ならば前記機器の信号伝送速度を低下させる制御手段と
を備えたことを特徴とするエンクロージャー。
【請求項２】
前記制御手段は、前記収納状態ならば前記機器の信号伝送速度を前記展開状態における信号伝送速度よりも高速に設定する
ことを特徴とする請求項１に記載のエンクロージャー。
【請求項３】
前記コントローラはストレージコントローラであり、
前記機器はハードディスクドライブである
ことを特徴とする請求項１又は請求項２に記載のエンクロージャー。
【請求項４】
前記コントローラはＳＣＳＩ（Small Computer System Interface）コマンドを用いて前記信号伝送速度を設定する
ことを特徴とする請求項１乃至３のいずれか１項に記載のエンクロージャー。
【請求項５】
前記コントローラはＳＡＳ（Serial Attached SCSI）コントローラであり、
前記機器はＳＡＳハードディスクドライブである
ことを特徴とする請求項１乃至４のいずれか１項に記載のエンクロージャー。
【請求項６】
ドロワーセンサーにより検知された、コントローラを介して情報処理装置との間でデータの入出力を行う信号伝送インターフェースを有する機器が搭載されるドロワーの状態が、展開状態ならば前記機器の信号伝送速度を低下させる
ことを特徴とするエンクロージャー制御方法。
【請求項７】
ドロワーセンサーにより検知された、コントローラを介して情報処理装置との間でデータの入出力を行う信号伝送インターフェースを有する機器が搭載されるドロワーの状態が、展開状態ならば前記機器の信号伝送速度を低下させる処理
をコンピュータに実行させることを特徴とするエンクロージャー制御プログラム。
【発明の詳細な説明】
【技術分野】
【０００１】
本発明は、エンクロージャー、エンクロージャー制御方法、及びエンクロージャー制御プログラムに関し、特にドロワーを有するエンクロージャー、並びにドロワーを有するエンクロージャーの、エンクロージャー制御方法及びエンクロージャー制御プログラムに関する。
【背景技術】
【０００２】
ＨＤＤ（Hard Disk Drive）インターフェースなどに用いられる信号伝送技術では、伝送速度の高速化と信頼性の確保との両立が重要である。
【０００３】
ＨＤＤが作動することによって発生する機械的振動は、ＨＤＤインターフェースにおいて、コネクタの接触ずれ又は勘合ずれなどを招き、それに起因して、信号劣化を引き起こす可能性がある。例えば、コネクタの接触ずれ又は勘合ずれなどにより浮遊容量が発生し、信号波形が歪むことがある。ＨＤＤインターフェースにおける信号劣化は、エラー発生等のＨＤＤの信頼性低下の原因となる。そこで、ＨＤＤの信頼性向上のためには、ＨＤＤの振動を抑制することが有効である。
【０００４】
多数のＨＤＤを高密度に収容するディスクエンクロージャーには、ドロワーを有するディスクエンクロージャーが使用されることが多い。ドロワーは、複数のＨＤＤを収容し、ディスクエンクロージャーから引き出し可能である。ドロワーを有するディスクエンクロージャーでは、ドロワーを引き出した状態（以下、「展開状態」という）においてドロワーの機械的安定性が低下するので、特にドロワーの展開状態において、ドロワーの振動が発生しやすい。そのため、ドロワーの展開状態において、ＨＤＤの信頼性が低下しやすい。さらに、ドロワーを有するディスクエンクロージャーでは、ＨＤＤ故障などに対する保守作業時には、必ずドロワーが展開された状態で、ＨＤＤの交換作業などの作業が行われる。そのため、ドロワーが展開された状態では、ＨＤＤが作動することによって発生する機械的振動に加えて、保守作業による機械的振動の発生が予想される。そこで、ＨＤＤの振動に対するＨＤＤの信頼性向上は、特にドロワーを有するディスクエンクロージャー装置における技術課題である。
【０００５】
ＨＤＤの振動を抑制する技術の一例が、特許文献１に開示されている。特許文献１のストレージ装置は、ベースユニットと、ＨＤＤシェルフと、離接機構とを含む。離接機構は、ベースユニットとＨＤＤシェルフとを連結する。ベースユニットは、１つ以上の記憶装置を含む。離接機構は、複数のリンクとダンパーとを含む。リンクとダンパーとは、ＨＤＤシェルフ及びベースユニットの両側面において、ＨＤＤシェルフ及びベースユニットを挟んで対向する位置にそれぞれ配置される。ダンパーは、振動エネルギーを消散させて衝撃または振動の振幅を軽減する装置であり、リンク機構の伸縮に伴って発生する衝撃や振動を軽減させる。上記の動作の結果、特許文献１のストレージ装置では、ストレージ装置の活性状態でＨＤＤシェルフの展開状態と収納状態とが切り替えられても、ＨＤＤの振動が抑制される。
【０００６】
ＨＤＤの振動を抑制する技術の別の一例が、特許文献２に開示されている。特許文献２の多重ハードディスク・ドライブ・エンクロージャでは、２台のディスクドライブが互いに近傍に略平行を向き且つ裏側同士が向かい合うように配置される。特許文献２の多重ハードディスク・ドライブ・エンクロージャでは、シーク動作が両方のドライブに対して同時に同じ始点から同じ最終トラックまで実行される場合には、２台のディスクドライブの回転加速度は部分的に相殺される。上記の動作の結果、特許文献２の多重ハードディスク・ドライブ・エンクロージャでは、ＨＤＤの振動が抑制される。
【先行技術文献】
【特許文献】
【０００７】
【特許文献１】特開２０１５−５３３８１号公報
【特許文献２】特表２００７−５１７３５５号公報
【発明の概要】
【発明が解決しようとする課題】
【０００８】
一般的に、ＨＤＤインターフェースの伝送速度が高速である場合には、ＨＤＤインターフェースは信号劣化の影響を受けやすいので、ＨＤＤの伝送速度が低速である場合に比べてＨＤＤの振動に対する耐性（以下、「耐振性」という）が低下する。また、一般的に、ドロワーを有するディスクエンクロージャーでは、ドロワーが展開された場合には、ドロワーのディスクエンクロージャーに対する安定性が低下するので、ドロワーが収納された場合に比べて耐振性が低下する。
【０００９】
しかしながら、特許文献１や特許文献２の技術では、ドロワーが収納された場合とドロワーが展開された場合とのディスクエンクロージャーの耐振性の違いは考慮されていない。すなわち、ドロワーが収納された場合の耐振性に合わせてＨＤＤの伝送速度を高速化すると、ドロワーが展開された場合におけるＨＤＤの信頼性は低下する。一方、ドロワーが展開された場合の耐振性に合わせてＨＤＤの伝送速度を低速化すると、ドロワーが展開された場合におけるＨＤＤの信頼性は向上する。ところが、ドロワーが収納された場合におけるＨＤＤの伝送速度の高速性を維持しつつ、ドロワーが展開された場合におけるＨＤＤの信頼性を維持することは困難である。従って、特許文献１や特許文献２の技術には、ドロワーを有するディスクエンクロージャーにおいて、ＨＤＤの伝送速度の高速化と信頼性向上との両立が困難であるという問題がある。
【００１０】
なお、ドロワーの搭載機器が機械的振動を発生しなくても、搭載機器は、他の機器や保守作業等に起因する機械的振動の影響を受ける。また、ドロワーを有するディスクエンクロージャーでは、ドロワーが展開された場合に、搭載機器の耐振性が低下する。搭載機器の耐振性の低下は、外部の機器との間で信号伝送を行うインターフェース（以下、「信号伝送インターフェース」という）におけるコネクタの接触ずれ又は勘合ずれなどを招き、それに起因して、信号劣化を引き起こす可能性がある。従って、前述の問題は、ＨＤＤのみならず、フラッシュメモリ、通信機器等の、信号伝送インターフェースを有する搭載機器に共通する問題である。
（発明の目的）
本発明の主たる目的は、ドロワーを有するエンクロージャーにおいて、搭載機器の伝送速度の高速化と信頼性向上とを両立させることができるエンクロージャー、エンクロージャー制御方法、及びエンクロージャー制御プログラムを提供することにある。
【課題を解決するための手段】
【００１１】
本発明のエンクロージャーは、コントローラを介して情報処理装置との間でデータの入出力を行う信号伝送インターフェースを有する機器が搭載されるドロワーと、ドロワーの展開状態及び収納状態を検知するドロワーセンサーと、展開状態ならば機器の信号伝送速度を低下させる制御手段とを備えたことを特徴とする。
【００１２】
本発明のエンクロージャー制御方法は、ドロワーセンサーにより検知された、コントローラを介して情報処理装置との間でデータの入出力を行う信号伝送インターフェースを有する機器が搭載されるドロワーの状態が、展開状態ならば機器の信号伝送速度を低下させることを特徴とする。
【００１３】
本発明のエンクロージャー制御プログラムは、ドロワーセンサーにより検知された、コントローラを介して情報処理装置との間でデータの入出力を行う信号伝送インターフェースを有する機器が搭載されるドロワーの状態が、展開状態ならば機器の信号伝送速度を低下させる処理とをコンピュータに実行させることを特徴とする。
【発明の効果】
【００１４】
本発明によれば、ドロワーを有するエンクロージャーにおいて、搭載機器の伝送速度の高速化と信頼性向上とを両立させることができるという効果がある。
【図面の簡単な説明】
【００１５】
【図１】本発明の第１の実施形態のエンクロージャーの構成の一例を示す図である。
【図２】本発明の第１の実施形態のエンクロージャーの構成の一例を示すブロック図である。
【図３】本発明の第１の実施形態のエンクロージャーの動作を示すフローチャートである。
【図４】本発明の第２の実施形態のエンクロージャーの構成を示すブロック図である。
【図５】本発明の第２の実施形態のエンクロージャーの動作を説明するための図である。
【発明を実施するための形態】
【００１６】
以下、本発明の実施形態について、図面を参照して詳細に説明する。なお、すべての図面において、同等の構成要素には同じ符号を付し、適宜説明を省略する。
（第１の実施形態）
本実施形態における構成について説明する。
【００１７】
図１は、本発明の第１の実施形態のエンクロージャーの構成の一例を示す図である。具体的には、図１は、エンクロージャーの外観を示す斜視図である。
【００１８】
本発明の第１の実施形態のエンクロージャー１００は、搭載機器２００を搭載可能な、ドロワー１１０を有するエンクロージャーである。エンクロージャー１００は、ドロワー１１０の展開状態（ドロワー１１０がエンクロージャー１００から引き出された状態）及び収納状態（ドロワー１１０がエンクロージャー１００に収納された状態）を検出し、状態に基づいて搭載機器２００の信号伝送インターフェースにおける信号伝送速度（以下、単に「信号伝送速度」という）を制御する。
【００１９】
搭載機器２００は、信号伝送速度が可変な信号伝送インターフェースを有する電子機器である。搭載機器２００は、例えば、ＨＤＤである。
【００２０】
エンクロージャー１００は、ドロワー１１０を含む。なお、図１では、ドロワー１１０の展開状態及び収納状態を示すために、エンクロージャー１００が２台のドロワー１１０を含む例が示されている。しかしながら、エンクロージャー１００に含まれるドロワー１１０の台数は、２台には限定されず、１台以上の任意の台数であってよい。
【００２１】
ドロワー１１０は、エンクロージャー１００の本体に対して展開及び収納が可能である。ドロワー１１０には、搭載機器２００が搭載される。ドロワー１１０には、複数台の搭載機器２００が搭載されてもよい。
【００２２】
図２は、本発明の第１の実施形態のエンクロージャー１００の構成の一例を示すブロック図である。なお、図面中の矢印の向きは、一例を示すものであり、ブロック間の信号の向きを限定するものではない。
【００２３】
エンクロージャー１００は、コントローラ３００を介して、情報処理装置４００に接続される。
【００２４】
情報処理装置４００は、搭載機器２００との間の入出力データを処理する。情報処理装置４００は、例えば、サーバである。
【００２５】
コントローラ３００は、搭載機器２００と情報処理装置４００との間で、データの入出力を制御する。コントローラ３００は、例えば、ＳＡＳ（Serial Attached SCSI（Small Computer System Interface））コントローラである。
【００２６】
エンクロージャー１００は、ドロワー１１０と、ドロワーセンサー１２０と、制御手段１３０とを含む。
【００２７】
制御手段１３０は、ドロワー１１０の状態に応じて搭載機器２００に制御コマンドを発行し、搭載機器２００の信号伝送インターフェースにおける信号伝送速度の設定を変更する。通常運用時など、ドロワー１１０が収納状態のときには、制御手段１３０は、搭載機器２００の信号伝送速度を展開状態よりも高速に設定し、搭載機器２００の入出力性能を最大化させる。一方、保守作業時など、ドロワー１１０が展開状態のときには、制御手段１３０は、搭載機器２００の信号伝送速度を低下させる。制御手段１３０は、保守作業時に信号伝送速度を通常運用時よりも低下させることにより、搭載機器２００の信号伝送インターフェース動作マージンを増加させる。その結果、ドロワー１１０の展開状態において、搭載機器２００は振動の影響を受けにくくなり、搭載機器２００のエラーの発生が抑制される。
【００２８】
ドロワーセンサー１２０は、ドロワー１１０の展開状態及び収納状態を感知する。ドロワーセンサー１２０は、例えば、ドロワー１１０展開状態と収納状態とで切り替わる押しボタンスイッチである。あるいは、ドロワーセンサー１２０は、例えば、エンクロージャー１００の筐体に対するドロワー１１０の位置を検出する光学センサーである。
【００２９】
次に、本実施形態における動作について説明する。
【００３０】
図３は、本発明の第１の実施形態のエンクロージャー１００の動作を示すフローチャートである。具体的には、図３は、制御手段１３０の動作を示すフローチャートである。なお、図３に示すフローチャート及び以下の説明は一例であり、適宜求める処理に応じて、処理順等を入れ替えたり、処理を戻したり、又は処理を繰り返したりしてもよい。
【００３１】
制御手段１３０は、ドロワーセンサー１２０の状態変化を監視する（ステップＳ１１０）。ドロワーセンサー１２０の状態変化がない場合には（ステップＳ１１０：Ｎｏ）、制御手段１３０は、ステップＳ１１０の処理を繰り返す。ドロワーセンサー１２０の状態変化があった場合には（ステップＳ１１０：Ｙｅｓ）、制御手段１３０は、ステップＳ１２０の処理へ進む。
【００３２】
ドロワーセンサー１２０の状態が収納状態から展開状態に変化した場合には（ステップＳ１２０：Ｎｏ）、制御手段１３０は、信号伝送速度を低下させ（ステップＳ１４０）、ステップＳ１１０の処理へ戻る。
【００３３】
ドロワーセンサー１２０の状態が展開状態から収納状態に変化した場合には（ステップＳ１２０：Ｙｅｓ）、制御手段１３０は、信号伝送速度を展開状態よりも高速に設定し（ステップＳ１４０）、ステップＳ１１０の処理へ戻る。
【００３４】
以上説明したように、本実施形態のエンクロージャー１００は、搭載機器２００が比較的振動しやすいドロワー１１０の展開状態では、搭載機器２００の信号伝送インターフェースにおける信号伝送速度を低下させ、信号伝送インターフェースにおける信号伝送の動作マージン大きくする。これにより、エンクロージャー１００は、振動に起因する搭載機器２００の信号伝送インターフェースにおけるエラー発生を抑制する。一方、エンクロージャー１００は、搭載機器２００が比較的振動しにくいドロワー１１０の収納状態では、搭載機器２００の信号伝送インターフェースにおける信号伝送速度を展開状態よりも高速に設定し、信号伝送インターフェースにおける信号伝送速度を高速化する。従って、本実施形態のエンクロージャー１００には、ドロワーを有するエンクロージャーにおいて、搭載機器の伝送速度の高速化と信頼性向上とを両立させることができるという効果がある。
（第２の実施形態）
次に、上述した第１の実施形態のエンクロージャー１００を基本とする、本発明の第２の実施形態のエンクロージャーについて説明する。本実施形態のエンクロージャーでは、制御手段がＳＥＳ（SCSI Enclosure Service）−ＦＷ（Firmware）として実装される。以下の説明において、第１の実施形態と同等の構成要素には同じ符号を付し、適宜説明を省略する。
【００３５】
本実施形態における構成について説明する。
【００３６】
図４は、本発明の第２の実施形態のエンクロージャー１０５の構成を示すブロック図である。なお、図面中の矢印の向きは、一例を示すものであり、ブロック間の信号の向きを限定するものではない。
【００３７】
エンクロージャー１０５は、ストレージコントローラ３０５を介して、情報処理装置４００に接続される。ストレージコントローラ３０５は、ＨＤＤ２０５と情報処理装置４００との間で、データの入出力を制御するＳＡＳコントローラである。エンクロージャー１０５は、ドロワー１１５と、ドロワーセンサー１２０と、ＳＡＳエキスパンダー１４０と、ＳＡＳエキスパンダー１４５と、ＥＳＰ（Enclosure Services Process）１３５とを含む。なお、図４では、１つのドロワー１１５が代表で示されているが、エンクロージャー１０５は複数のドロワー１１５を含んでもよい。ドロワーセンサー１２０の個数は、ドロワー１１５の個数と同じである。また、エンクロージャー１０５は、各ドロワー１１５のＨＤＤ２０５が接続される１つのＳＡＳエキスパンダー１４０と、各ドロワー１１５のＳＡＳエキスパンダー１４０が接続される１つのＳＡＳエキスパンダー１４５とを含む。エンクロージャー１０５が１つのドロワー１１５のみを含む場合には、ＳＡＳエキスパンダー１４５は、省略されてもよい。
【００３８】
ＳＡＳエキスパンダー１４０及びＳＡＳエキスパンダー１４５は、ストレージコントローラ３０５とＨＤＤ２０５との中継機器である。ＳＡＳエキスパンダー１４０及びＳＡＳエキスパンダー１４５は、ＳＡＳの１２Ｇｂｐｓ／６Ｇｂｐｓ（信号伝送速度）に対応する。なお、ドロワー１１５には、ＳＡＳの１２Ｇｂｐｓ／６Ｇｂｐｓに対応したＨＤＤ２０５が搭載される。ＨＤＤ２０５は、ドロワー１１５の収納時（通常運用時）には１２Ｇｂｐｓで動作し、ドロワー１１５の展開時（保守作業時）には６Ｇｂｐｓで動作させられる。
【００３９】
ＥＳＰ１３５は、ＳＥＳ−ＦＷとして実装された制御手段である。なお、一般的なＳＥＳ−ＦＷにおいて、ドロワーセンサー１２０を示す“Drawer sensor”が定義されていない場合には、ＳＥＳ−ＦＷのエレメント追加機能を利用して“Drawer sensor”の定義を追加して、ＳＥＳ−ＦＷを修正することが可能である。ＳＥＳ−ＦＷは、“Drawer sensor”の状態を保持するテーブル（以下、「ドロワー管理テーブル」という）を含む。ＥＳＰ１３５は、ＨＤＤの信号伝送インターフェースにおける信号伝送速度を、ＳＡＳエキスパンダー１４０又はＳＡＳエキスパンダー１４５を介して設定するか、もしくは、ＨＤＤ２０５のモードページを介して設定する。いずれの場合にも、ＥＳＰ１３５は、コマンド発行をすることによりＨＤＤ２０５の信号伝送インターフェースにおける信号伝送速度を設定する。
【００４０】
ドロワーセンサー１２０は、ドロワー１１５の状態を感知する。なお、ＥＳＰ１３５は、ドロワー管理テーブルを用いて、ドロワー１１５の状態を管理する。ドロワー管理テーブルでは、各ドロワー１１５の状態がそれぞれ独立に管理される。
【００４１】
本実施形態におけるその他の構成は、第１の実施形態における構成と同じである。
【００４２】
次に、本実施形態における動作について説明する。
【００４３】
図５は、本発明の第２の実施形態のエンクロージャー１０５の動作を説明するための図である。具体的には、図５は、ＳＥＳ−ＦＷとして実装されたＥＳＰ１３５のドロワー管理テーブルの一例を示す。ドロワー管理テーブルは、ドロワー１１５毎に、ドロワー１１５の番号、ドロワー１１５の展開状態を示す“Ｏｐｅｎ”ビット、及びドロワー１１５の収納状態を示す“Ｃｌｏｓｅ”ビット等を含む。
【００４４】
以下に、図５に示されたドロワー管理テーブル（ドロワーの状態）に基づいて、ＨＤＤ２０５の信号伝送インターフェースにおける伝送速度を変更する動作について説明する。
【００４５】
保守作業の開始時に、ドロワー１１５の状態が収納状態から展開状態へ変化すると、ドロワー管理テーブルの“Ｏｐｅｎ”ビット及び“Ｃｌｏｓｅ”ビットが反転される（ステップＳ１１０：Ｙｅｓ）。“Ｏｐｅｎ”ビットが“ＯＮ”なので（ステップＳ１２０：Ｎｏ）、ＥＳＰ１３５は、ＨＤＤ２０５の信号伝送インターフェースにおける伝送速度を低下させるＳＣＳＩコマンド“Ｍｏｄｅ  ｓｅｌｅｃｔ”をそのドロワー１１５に搭載されている全てのＨＤＤ２０５に対して発行する（ステップＳ１４０）。その結果、そのドロワー１１５に搭載されている全てのＨＤＤの信号伝送インターフェースにおける伝送速度が、１２Ｇｂｐｓから６Ｇｂｐｓに変更される。そして、ＥＳＰ１３５は、ドロワー１１５の監視状態に戻る。
【００４６】
保守作業の完了時に、ドロワー１１５の状態が展開状態から収納状態へ変化すると、ドロワー管理テーブルの“Ｏｐｅｎ”ビット及び“Ｃｌｏｓｅ”ビットが反転される（ステップＳ１１０：Ｙｅｓ）。“Ｏｐｅｎ”ビットが“ＯＦＦ”なので（ステップＳ１２０：Ｙｅｓ）、ＥＳＰ１３５は、ＨＤＤ２０５の信号伝送インターフェースにおける伝送速度を高速化するＳＣＳＩコマンド“Ｍｏｄｅ  ｓｅｌｅｃｔ”をそのドロワー１１５に搭載されている全てのＨＤＤ２０５に対して発行する（ステップＳ１３０）。その結果、そのドロワー１１５に搭載されている全てのＨＤＤ２０５の信号伝送インターフェースにおける伝送速度が、６Ｇｂｐｓから１２Ｇｂｐｓに変更される。そして、ＥＳＰ１３５は、ドロワー１１５の状態監視に戻る。
【００４７】
本実施形態におけるその他の動作は、第１の実施形態における動作と同じである。
【００４８】
以上説明したように、本発明の第２の実施形態のエンクロージャー１０５は、ＨＤＤ２０５が比較的振動しやすいドロワー１１５の展開状態では、ＨＤＤ２０５の信号伝送インターフェースにおける信号伝送速度を低下させ、信号伝送インターフェースにおける信号伝送の動作マージン大きくする。これにより、エンクロージャー１０５は、振動に起因するＨＤＤ２０５の信号伝送インターフェースにおけるエラー発生を抑制する。一方、エンクロージャー１０５は、ＨＤＤ２０５が比較的振動しにくいドロワー１１５の収納状態では、ＨＤＤ２０５の信号伝送インターフェースにおける信号伝送速度を展開状態よりも高速に設定し、信号伝送インターフェースにおける信号伝送速度を高速化する。従って、本実施形態のエンクロージャー１０５には、ドロワーを有するエンクロージャーにおいて、搭載機器の伝送速度の高速化と信頼性向上とを両立させることができるという効果がある。
【００４９】
なお、上述した本発明の第１の実施形態のエンクロージャー１００の制御手段１３０は、専用の装置によって実現してもよいが、コンピュータ（情報処理装置）によっても実現可能である。この場合、係るコンピュータは、メモリ（不図示）に格納されたソフトウェア・プログラムをＣＰＵ（Central Processing Unit、不図示）に読み出し、読み出したソフトウェア・プログラムをＣＰＵにおいて実行することにより、実行結果を、例えば、ユーザ・インタフェースに出力する。上述した実施形態の場合、係るソフトウェア・プログラムには、上述したところの、図２に示したエンクロージャー１００の制御手段１３０の機能を実現可能な記述がなされていればよい。このような場合、係るソフトウェア・プログラム（コンピュータ・プログラム）は、本発明を構成すると捉えることができる。更に、係るソフトウェア・プログラムを格納した、コンピュータ読み取り可能な記憶媒体も、本発明を構成すると捉えることができる。
【００５０】
以上、本発明を、上述した実施形態およびその実施例によって例示的に説明した。しかしながら、本発明の技術的範囲は、上述した実施形態およびその実施例に記載した範囲に限定されない。当業者には、係る実施形態に対して多様な変更又は改良を加えることが可能であることは明らかである。そのような場合、係る変更又は改良を加えた新たな実施形態も、本発明の技術的範囲に含まれ得る。そしてこのことは、特許請求の範囲に記載した事項から明らかである。
【産業上の利用可能性】
【００５１】
本発明は、ＨＤＤ、ストレージ機器、通信機器等を格納するドロワーを有するエンクロージャーにおいて利用できる。
【符号の説明】
【００５２】
１００  エンクロージャー
１１０  ドロワー
２００  搭載機器
１２０  ドロワーセンサー
１３０  制御手段
３００  コントローラ
４００  情報処理装置
１０５  エンクロージャー
１１５  ドロワー
１４０、１４５  ＳＡＳエキスパンダー
２０５  ＨＤＤ
１３５  ＥＳＰ
３０５  ストレージコントローラ
【図１】
2017126262.tif 000003
【図２】
2017126262.tif 000004
【図３】
2017126262.tif 000005
【図４】
2017126262.tif 000006
【図５】
2017126262.tif 000007